(57)【要約】【課題】器具の種類に関わらずセンサブロックの取付構造が一様であり、部品点数の削減を図った照明器具を提供する。【解決手段】器具本体１は側壁１ａ，１ａを備える断面コの字の長尺形状に形成されて、その下面側にはランプの点灯制御部が配置され、さらに富士型反射板４ａが覆設されており、反射板４ａの下方には直管形のランプ５が装着される。側壁１ａはセンサの検知方向に対して平行な面であり、断面コの字形状の器具本体１の一方の長手方向の側壁１ａにはランプの点灯制御用の人感センサ６を収納したセンサブロック７が取り付けられており、反射板４ａに設けた矩形の開口８を挿通して、反射板４ａの下方に突出している。【選択図】        図１
2004259562.tif 000002
【特許請求の範囲】
【請求項１】
ランプと、ランプを装着すると共にランプの点灯制御部を収納した器具本体と、ランプの点灯制御用のセンサを具備するセンサブロックとを備え、前記センサブロックはセンサの検知方向に対して平行な前記器具本体の面に取着する取付部を具備することを特徴とする照明器具。
【請求項２】
前記センサブロックはその一端方向が検知方向であり、他端側を開放した切り欠き部を前面から両側面に亘って設け、前面側には一端側を支点として前記切り欠き部内を前後面方向に可動する板ばねから成る可動片を設けた補助部材が取り付けられて、前記取付部は前記切り欠き部と前記可動片との間に前記検知方向に対して平行な器具本体の面を挟持して成ることを特徴とする請求項１記載の照明器具。
【請求項３】
前記センサブロックはその一端方向が検知方向であり、前面の他端には両側に前面の一部を残した第１の切り欠き部を設け、両側面の各他端には前記検知方向に対して平行な器具本体の面を挿入する第２の切り欠き部を各々設けて、前面側には一端側を支点として前記第１の切り欠き部内を前後面方向に可動する板ばねから成る可動片を設けた補助部材が取り付けられて、前記取付部は前記第２の切り欠き部と前記可動片とで前記検知方向に対して平行な器具本体の面を挟持して成ることを特徴とする請求項１記載の照明器具。
【請求項４】
前記補助部材は、前記センサブロックの両側面の各一端側に各々対向して弾性を有する側壁を前記センサブロックの前面に対向する中央板の両側に設けたコの字形状の固定部と、前記中央板の他端から突出した前記可動片とから成り、前記センサブロックの両側面と前記固定部の側壁とのうちいずれか一方に設けた第１の凹部と他方に設けた第１の凸部とを前記側壁の弾性を利用して嵌合させることで、前記補助部材を前記センサブロックに固定することを特徴とする請求項３記載の照明器具。
【請求項５】
前記センサブロックの前面と前記補助部材の中央板とのうちいずれか一方に設けた第２の凹部と他方に設けた第２の凸部とを嵌合させることを特徴とする請求項４記載の照明器具。
【請求項６】
前記補助部材の固定部に対向する前記センサブロックの前面及び両側面には、前記固定部の外面が前記センサブロックの外面より外に出ないように第３の凹部が形成されることを特徴とする請求項４または５記載の照明器具。
【請求項７】
前記補助部材の固定部の両端方向の長さは前記第３の凹部の両端方向の長さより短く、前記センサブロックの両側面に各々１つずつ設けた第１の凸部と、前記固定部の各側壁に両端方向に並設した複数の第１の凹部のうち１つの凹部とを各々嵌合させることを特徴とする請求項６記載の照明器具。
【請求項８】
前記補助部材の固定部の各側壁の後端に１つ以上の第１の突起を各々設け、前記センサブロックの両側面の第３の凹部の後端に、前記固定部の各側壁に設けた第１の凹部と同数の第３の切り欠き部を各々設けて、各側壁の第１の突起のうち少なくとも１つの突起は第３の切り欠き部に各々嵌合することを特徴とする請求項７記載の照明器具。
【請求項９】
前記補助部材の可動片の両側端に第２の突起を各々設け、前記センサブロックの第１の切り欠き部の両側に１つ以上の第４の切り欠き部を各々設けて、前記第２の突起は第４の切り欠き部に嵌合することを特徴とする請求項７または８記載の照明器具。
【請求項１０】
前記補助部材の固定部の中央板の一端に係止片を設け、前記センサブロックは前記係止片に係止する孔を前面に備えることを特徴とする請求項４乃至９いずれか記載の照明器具。
【請求項１１】
前記補助部材の固定部の中央板に孔を設け、前記センサブロックは前記孔に係止する第３の突起を前面に備えることを特徴とする請求項４乃至９いずれか記載の照明器具。
【請求項１２】
前記センサブロックの前面に内側から対向する内壁面を備え、前記内壁面の前面側に前記補助部材の固定手段を備えることを特徴とする請求項３記載の照明器具。
【請求項１３】
前記センサブロックはその一端側が検知方向であり、両側面の各他端には凹凸を有した複数の切り欠き部を各々設けて、前記取付部は、前記検知方向に対して平行な前記器具本体の面を前記センサブロックの両側面のいずれかの切り欠き部に各々挿入し、前記切り欠き部の凹凸によって挟持して成ることを特徴とする請求項１記載の照明器具。
【発明の詳細な説明】
【０００１】
【発明の属する技術分野】
本発明は、点灯制御用センサを有する照明器具に関するものである。
【０００２】
【従来の技術】
従来より、人感センサを用いて人の在・不在を検知し、自動的に点灯・消灯させる照明器具が提供されている。
【０００３】
図５３は富士型照明器具の概略を示しており、富士型反射板４ａを具備する器具本体１と、人の在・不在を検知するセンサブロック１１０とを備えて、器具本体１内の点灯制御部はセンサブロック１１０の検知信号に基づいてランプの点灯・消灯を制御する。器具本体１センサブロック１１０とは配線１１１を介して分離されており、センサブロック１１０には、図５４に示すように人感センサ６と、人感センサ６を実装すると共に配線１１１を介して器具本体１に接続されているセンサ基板９とが搭載されて、人感センサ６の検知方向にはセンサレンズ６ａが露出している。このセンサブロック１１０は器具専用取付金具（図示なし）によって器具本体１に取り付けられる。
【０００４】
また図５５は笠付直付一灯の照明器具の断面簡略図で、下部に笠型反射板４ｃを取着した器具本体１は、ランプソケット（図示なし）に直管形のランプ５を装着し、点灯制御部３を収納して、センサブロック１１０は器具本体１内に設置された器具専用取付金具１１２によって笠型反射板４ｃの下面に突出して取り付けられる。
【０００５】
上記図５３〜図５５の従来例はセンサブロックと点灯制御部とを分離した分離型センサブロックの例であって、センサブロックは器具専用取付金具によって器具本体に取り付けられる構成となっている。
【０００６】
次に図５６は、富士型照明器具において、センサブロックと点灯制御部とが一体となって器具本体１内に収納されて、人感センサの検知方向である一端面側にセンサレンズ６ａが露出している一体型センサブロックを用いた例である。
【０００７】
図５７は薄型直付下面開放二灯の照明器具の断面簡略図で、下部に薄型下面開放型反射板４ｂを取着した器具本体１は、ランプソケット（図示なし）に２本の直管形のランプ５を装着し、一体型センサブロック１１３を収納しており、一体型センサブロック１１３は一端面に露出したセンサレンズ６ａを下方に向けて取り付けられる。
【０００８】
図５８は富士型直付二灯の照明器具の断面簡略図で、下部に富士型反射板４ｄを取着した器具本体１は、ランプソケット（図示なし）に２本の直管形のランプ５を装着し、一体型センサブロック１１３を収納しており、一体型センサブロック１１３は器具本体１内に収納された器具専用取付金具１１４によってセンサレンズ６ａを下方に向けて取り付けられる。
【０００９】
上記図５６〜図５８に示すような一体型センサブロックは、器具本体に直接取り付けるものと、器具専用取付金具を用いて器具本体に取り付けるものとがある。（例えば、特許文献１乃至３参照。）
【００１０】
【特許文献１】
特開２００１−２９１４１８号公報（２頁左欄第４１行〜左欄第４７行、３頁左欄第２８行〜左欄第４７行、図１（ａ）〜（ｃ）、図２、図１０）
【特許文献２】
特開２００１−２９１４１９号公報（４頁左欄第２行〜左欄第２６行、４頁左欄第３７行〜左欄第４１行、図１（ａ），（ｂ）、図５（ａ），（ｂ）、）
【特許文献３】
特開２００１−２９１４２０号公報（４頁左欄第１行〜左欄第２８行、４頁左欄第４２行〜左欄第４６行、図１（ａ），（ｂ）、図５（ａ），（ｂ））
【００１１】
【発明が解決しようとする課題】
上記従来の技術では、照明器具の種類によって、センサブロックと点灯制御部とが分離した分離型、またはセンサブロックと点灯制御部とが一体となった一体型の両方が存在するが、検知範囲やランプとの干渉を考慮すると分離形が有利である。しかし、センサブロックを器具本体に取り付けるために各照明器具専用の取付金具が必要なものもあり、センサブロックの取付構造が一様でなく多様化しており、部品点数の増加にもつながっている。
【００１２】
本発明は、上記事由に鑑みてなされたものであり、その目的は、器具の種類に関わらずセンサブロックの取付構造が一様であり、部品点数の削減を図った照明器具を提供することにある。
【００１３】
【課題を解決するための手段】
請求項１の発明は、ランプと、ランプを装着すると共にランプの点灯制御部を収納した器具本体と、ランプの点灯制御用のセンサを具備するセンサブロックとを備え、前記センサブロックはセンサの検知方向に対して平行な前記器具本体の面に取着する取付部を具備することを特徴とする。
【００１４】
請求項２の発明は、請求項１において、前記センサブロックはその一端方向が検知方向であり、他端側を開放した切り欠き部を前面から両側面に亘って設け、前面側には一端側を支点として前記切り欠き部内を前後面方向に可動する板ばねから成る可動片を設けた補助部材が取り付けられて、前記取付部は前記切り欠き部と前記可動片との間に前記検知方向に対して平行な器具本体の面を挟持して成ることを特徴とする。
【００１５】
請求項３の発明は、請求項１において、前記センサブロックはその一端方向が検知方向であり、前面の他端には両側に前面の一部を残した第１の切り欠き部を設け、両側面の各他端には前記検知方向に対して平行な器具本体の面を挿入する第２の切り欠き部を各々設けて、前面側には一端側を支点として前記第１の切り欠き部内を前後面方向に可動する板ばねから成る可動片を設けた補助部材が取り付けられて、前記取付部は前記第２の切り欠き部と前記可動片とで前記検知方向に対して平行な器具本体の面を挟持して成ることを特徴とする。
【００１６】
請求項４の発明は、請求項３において、前記補助部材は、前記センサブロックの両側面の各一端側に各々対向して弾性を有する側壁を前記センサブロックの前面に対向する中央板の両側に設けたコの字形状の固定部と、前記中央板の他端から突出した前記可動片とから成り、前記センサブロックの両側面と前記固定部の側壁とのうちいずれか一方に設けた第１の凹部と他方に設けた第１の凸部とを前記側壁の弾性を利用して嵌合させることで、前記補助部材を前記センサブロックに固定することを特徴とする。
【００１７】
請求項５の発明は、請求項４において、前記センサブロックの前面と前記補助部材の中央板とのうちいずれか一方に設けた第２の凹部と他方に設けた第２の凸部とを嵌合させることを特徴とする。
【００１８】
請求項６の発明は、請求項４または５において、前記補助部材の固定部に対向する前記センサブロックの前面及び両側面には、前記固定部の外面が前記センサブロックの外面より外に出ないように第３の凹部が形成されることを特徴とする。
【００１９】
請求項７の発明は、請求項６において、前記補助部材の固定部の両端方向の長さは前記第３の凹部の両端方向の長さより短く、前記センサブロックの両側面に各々１つずつ設けた第１の凸部と、前記固定部の各側壁に両端方向に並設した複数の第１の凹部のうち１つの凹部とを各々嵌合させることを特徴とする。
【００２０】
請求項８の発明は、請求項７において、前記補助部材の固定部の各側壁の後端に１つ以上の第１の突起を各々設け、前記センサブロックの両側面の第３の凹部の後端に、前記固定部の各側壁に設けた第１の凹部と同数の第３の切り欠き部を各々設けて、各側壁の第１の突起のうち少なくとも１つの突起は第３の切り欠き部に各々嵌合することを特徴とする。
【００２１】
請求項９の発明は、請求項７または８において、前記補助部材の可動片の両側端に第２の突起を各々設け、前記センサブロックの第１の切り欠き部の両側に１つ以上の第４の切り欠き部を各々設けて、前記第２の突起は第４の切り欠き部に嵌合することを特徴とする。
【００２２】
請求項１０の発明は、請求項４乃至９いずれかにおいて、前記補助部材の固定部の中央板の一端に係止片を設け、前記センサブロックは前記係止片に係止する孔を前面に備えることを特徴とする。
【００２３】
請求項１１の発明は、請求項４乃至９いずれかにおいて、前記補助部材の固定部の中央板に孔を設け、前記センサブロックは前記孔に係止する第３の突起を前面に備えることを特徴とする。
【００２４】
請求項１２の発明は、請求項３において、前記センサブロックの前面に内側から対向する内壁面を備え、前記内壁面の前面側に前記補助部材の固定手段を備えることを特徴とする。
【００２５】
請求項１３の発明は、請求項１において、前記センサブロックはその一端側が検知方向であり、両側面の各他端には凹凸を有した複数の切り欠き部を各々設けて、前記取付部は、前記検知方向に対して平行な前記器具本体の面を前記センサブロックの両側面のいずれかの切り欠き部に各々挿入し、前記切り欠き部の凹凸によって挟持して成ることを特徴とする。
【００２６】
【発明の実施の形態】
以下、本発明の実施の形態を図面に基づいて説明する。
【００２７】
（実施形態１）
図１に本実施形態の照明器具の簡略化した分解斜視図、図２に全体斜視図を示し、器具本体１は側壁１ａ，１ａを備える断面コの字の長尺形状に形成されて、その下面側にはランプソケット２と、ランプの点灯制御部３とが配置され、さらに富士型反射板４ａが覆設されて、反射板４ａの下方に突出したランプソケット２には直管形のランプ５が装着される。そして、断面コの字形状の器具本体１の一方の長手方向の側壁１ａにはランプの点灯制御用の人感センサ６を収納したセンサブロック７が取り付けられており、反射板４ａに設けた矩形の開口８を挿通して、反射板４ａの下方に突出している。人感センサ６は、検知方向側の一端面にセンサレンズ６ａを露出させて、人の在・不在を検知するもので、図３に示すように両端を開口した函体に形成されたセンサブロック７の開口内に収納されている。また、センサ基板（図示無し）と配線を介して接続された点灯制御部３は人感センサ６の検知信号に基づいてランプ５の点灯・消灯を制御している。
【００２８】
ここで、器具本体１の側壁の形状は、図１０（ａ）〜（ｃ）のように照明器具の型によって異なり、図１０（ａ）は富士型照明器具、図１０（ｂ）は下面開放型照明器具、図１０（ｃ）は笠付型照明器具の各側壁１ａ，１ｂ，１ｃの断面形状を各々示し、各側壁１ａ，１ｂ，１ｃはセンサの検知方向に対して略平行に設けられている。なお、図１では富士型照明器具で説明したが、以下の実施形態では下面開放型照明器具の器具本体の側壁１ｂへのセンサブロック７の取付けを示す。また、以下の実施形態を示す図においては、人感センサ６を省略してセンサブロック７と補助部材１０のみを示し、センサの検知方向を一端方向（上方向）とする。
【００２９】
まず本実施形態は図４〜図９に示され、センサブロック７の前面には断面略Ｓ字の板状の補助部材１０が取り付けられ、センサブロック７の前面から両側面に亘って他端側（下側）を開放した切り欠き部１１が形成されており、両側面の前端は下部が前方向に突出した突出部１２を形成している。
【００３０】
さらにセンサブロック７の前面にはコの字のブリッジ形状の補助部材固定部１３を設けて、補助部材固定部３のコの字内とセンサブロック７前面との間に他端側から補助部材１０の一端を差し込む。補助部材１０の一端の両側には切り欠き部１４が形成されて、切り欠き部１４の端部が補助部材固定部１３の他端に係止すると共に、補助部材１０の一端側において前面側に折り返した折返し片１５が補助部材固定部１３の一端に係止することで補助部材１０はセンサブロック７にはめ殺しとなって固定される。
【００３１】
補助部材１０の他端側は、切り欠き部１１内を前後方向に可動する板ばねから成る可動片１０ａで構成されており、図８，図９に示すように可動片１０ａと切り欠き部１１との間に器具本体１の側壁１ｂを挟み、可動片１０ａのばね力と切り欠き部１１とで側壁１ｂを挟持することで、検知方向に対して平行な器具本体１の側壁１ｂにセンサブロック７が取り付けられる。また、側壁１ｂが凹凸形状を成すと共に、可動片１０ａの他端が後側に湾曲しているので、可動片１０ａの湾曲部１０ｂが側壁１ｂの凸部１００ｂに係止して互いの位置を固定している。
【００３２】
図８，図９では図１０（ｂ）に示す下面開放型照明器具の側壁１ｂへのセンサブロック７の取付を示しているが、図１０（ａ）に示すような富士形照明器具の側壁１ａや、図１０（ｃ）に示すような笠付型照明器具の側壁１ｃへもセンサブロック７を同様に取り付けることができる。
【００３３】
また、本実施形態では図１０（ａ）〜（ｃ）のように対象となる様々な型の器具本体１に対して、上記のように側壁１ａ，１ｂ，１ｃに直接取付可能な構造とした上で、人感センサ６の検知範囲角が１２０°となるようにセンサブロック７の両端方向の長さをランプ５が干渉しない長さに設定している。
【００３４】
（実施形態２）
本実施形態の照明器具は実施形態１と略同様の構成を備え、センサブロック７及び補助部材１０の構成のみが異なるので、同様の構成には同一の符号を付して説明は省略する。
【００３５】
本実施形態のセンサブロック７は図１１〜図１３に示すように、両端を開口した函体に形成され、センサブロック７の前面には補助部材１０が取り付けられる。
【００３６】
センサブロック７の前面は、他端に矩形の切り欠き部２０を設けて、切り欠き部２０の両側を固定片２１とし、さらに両側面の他端には器具本体１の側壁１ｂを挿入する切り欠き部２２を各々設けており、切り欠き部２２の後辺は下部が前方向に突出した突出部２３を形成している。
【００３７】
さらにセンサブロック７の前面にはコの字のブリッジ形状の補助部材固定部２４を設けて、補助部材固定部２４とセンサブロック７前面との間に他端側から補助部材１０の一端を差し込む。補助部材１０の両側の一端には切り欠き部１４が形成されて、切り欠き部１４の端部が補助部材固定部２４の他端に係止すると共に、補助部材１０の一端側において前面側に折り返した折返し片１５が補助部材固定部２４の一端に係止することで補助部材１０はセンサブロック７にはめ殺しとって固定される。
【００３８】
補助部材１０の他端側は板ばねから成る可動片１０ａで構成され、可動片１０ａは固定片２１，２１の間の切り欠き部２０内を前後方向に可動する。
【００３９】
そして、両側面の切り欠き部２２に器具本体１の側壁１ｂを挿入し、可動片１０ａのばね力と切り欠き部２２とで側壁１ｂを挟持することで、検知方向に対して平行な器具本体１の側壁１ｂにセンサブロック７が取り付けられる。また、側壁１ｂが凹凸形状を成すと共に、可動片１０ａの他端が後側に湾曲しているので、可動片１０ａの湾曲部１０ｂが側壁１ｂの凸部１００ｂに係止して互いの位置を固定している。
【００４０】
本実施形態では、器具本体１への取り付け時に、固定片２１によって、センサブロック７が補助部材１０の取付側に回転することを防止している。
【００４１】
（実施形態３）
本実施形態の照明器具は実施形態２と略同様の構成を備え、センサブロック７及び補助部材１０の構成が異なるので、同様の構成には同一の符号を付して説明は省略する。
【００４２】
本実施形態のセンサブロック７は図１４〜図１８に示すように、両端を開口した函体に形成され、センサブロック７の前面には補助部材１０が取り付けられる。
【００４３】
本実施形態では、補助部材１０は、前面の中央板１０ｃの両側から弾性を有する側壁１０ｄを後方向に立設したコの字形状の固定部１０’を一端側に設け、中央板１０ｃの他端略中央からは矩形の板ばねから成る可動片１０ａが設けられている。各側壁１０ｄの略中央には矩形の孔１０ｅが各々形成されている。
【００４４】
そして補助部材１０の固定部１０’は、各側壁１０ｄをその弾性によってセンサブロック７の各側面に対向させ、センサブロック７の両側面に設けた凸部２５に孔１０ｅが各々嵌合することでセンサブロック７に固定されている。
【００４５】
センサブロック７の器具本体１への取り付けは実施形態２と同様であり、固定部１０’によって、器具本体１への取り付け時にセンサブロック７が補助部材１０の取付側に回転することを確実に防止している。
【００４６】
また補助部材１０の固定部１０’はその一端をセンサブロック７の一端と一致させて固定されており、側壁１０ｄに対向するセンサブロック７の両側面には側壁１０ｄの厚み分の深さに形成された凹部２６を設けて、補助部材１０の取付時に外面上の凹凸を低減させて、意匠性を高めている。
【００４７】
（実施形態４）
本実施形態の照明器具は図１９〜図２３に示すように、実施形態３のセンサブロック７の前面の切り欠き部２０の上方に矩形の孔２７を設けると共に、補助部材１０の中央板１０ｃに後側に折り返した折返し片１０ｆを設けたものであり、実施形態３と同様の構成には同一の符号を付して説明は省略する。
【００４８】
本実施形態は、センサブロック７に補助部材１０を固定する際に、センサブロック７の孔２７に補助部材１０の折返し片１０ｆを差し込み、嵌合させ、各側壁１０ｄをその弾性によってセンサブロック７の各側面に取り付け、センサブロック７の両側面に設けた凸部２５に補助部材１０の孔１０ｅが各々嵌合することで固定されており、孔２７に折返し片１０ｆを差し込むことでセンサブロック７と補助部材１０との間に働く嵌合力を高めたものである。
【００４９】
（実施形態５）
本実施形態の照明器具は図２４，図２５に示すように、実施形態４の補助部材１０をセンサブロック７の一端から他端側に偏倚させて固定し、中央板１０ｃに対向するセンサブロック７の前面側、及び側壁１０ｄに対向するセンサブロック７の両側面には、補助部材１０の厚み分の深さに形成された凹部２８ａ，２８ｂを設けたもので、補助部材１０の取付時に外面上の凹凸を低減させて、意匠性をさらに高めている。なお、実施形態４と同様の構成には同一の符号を付して説明は省略する。
【００５０】
（実施形態６）
本実施形態の照明器具は図２６〜図２９に示すように、実施形態５の凹部２８ａ，２８ｂの両端方向の長さを補助部材１０の両端方向の長さよりも広げ、補助部材１０の各側壁１０ｄには両端方向に２つの矩形の孔１０ｇ、１０ｈを各々並設している。そして、センサブロック７の凸部２５が補助部材１０の他端側の孔１０ｈに嵌合するときは、図２８に示すように補助部材１０が凹部２８ａ，２８ｂの一端側に偏倚して固定され、センサブロック７の凸部２５が補助部材１０の一端側の孔１０ｇに嵌合するときは、図２９に示すように補助部材１０が凹部２８ａ，２８ｂの他端側に偏倚して固定される。したがって、補助部材１０の両端方向の位置を調整することができ、様々な器具本体の側壁への取り付けに対応することができる。なお、実施形態５と同様の構成には同一の符号を付して説明は省略する。
【００５１】
（実施形態７）
本実施形態の照明器具は図３０〜図３３に示すように、実施形態６のセンサブロック７の両側面の凹部２８ｂの後端に２つの三角の切り欠き部２９、３０を両端方向に各々並設し、補助部材１０の側壁１０ｄの後端に三角の突起１０ｉを各々設けている。そして、補助部材１０をセンサブロック７に固定する際に、センサブロック７の凸部２５が補助部材１０の他端側の孔１０ｈに嵌合するときは図３２に示すように、突起１０ｉは一端側の切り欠き部２９に嵌合して、補助部材１０が凹部２８ａ，２８ｂの一端側に偏倚して固定され、センサブロック７の凸部２５が補助部材１０の一端側の孔１０ｇに嵌合するときは図３３に示すように、突起１０ｉは他端側の切り欠き部３０に嵌合して、補助部材１０が凹部２８ａ，２８ｂの他端側に偏倚して固定されており、センサブロック７に補助部材１０を固定した際の両端方向（上下方向）の耐荷重を強化したものである。なお、実施形態６と同様の構成には同一の符号を付して説明は省略する。
【００５２】
（実施形態８）
本実施形態の照明器具は図３４〜図３７に示すように、実施形態６のセンサブロック７の切り欠き部２０の両側一端に三角の切り欠き部３１を各々設け、補助部材１０の可動片１０ａの両側一端には三角の突起１０ｊを各々設けている。そして、補助部材１０をセンサブロック７に固定する際に、センサブロック７の凸部２５が補助部材１０の他端側の孔１０ｈに嵌合するときは図３６に示すように、中央板１０ｃと突起１０ｊとは凹部２８ａに嵌合して、補助部材１０が凹部２８ａ，２８ｂの一端側に偏倚して固定され、センサブロック７の凸部２５が補助部材１０の一端側の孔１０ｇに嵌合するときは図３７に示すように、突起１０ｊは切り欠き部３１に嵌合して、補助部材１０が凹部２８ａ，２８ｂの他端側に偏倚して固定されており、センサブロック７の器具本体１への取り付けを実施形態７より確実にしたものである。なお、実施形態６と同様の構成には同一の符号を付して説明は省略する。
【００５３】
（実施形態９）
本実施形態の照明器具は図３８〜図４０に示すように、実施形態８のセンサブロック７前面の凹部２８ａの一端側略中央に矩形の開口３２を設け、補助部材１０には中央板１０ｃの一端側略中央から後方に延設された後、一端側に曲折したＬ形の折り返し片１０ｋを設けている。そして、補助部材１０をセンサブロック７に固定する際には、まず折り返し片１０ｋを開口３２に差し込んだ後、各側壁１０ｄをその弾性によってセンサブロック７の各側面に対向させ、センサブロック７の両側面に設けた凸部２５に補助部材１０の孔１０ｇまたは孔１０ｈを嵌合させる。そして、センサブロック７の凸部２５が補助部材１０の他端側の孔１０ｈに嵌合するときは図４１に示すように、折り返し片１０ｋは開口３２の一端に係止し、センサブロック７の凸部２５が補助部材１０の一端側の孔１０ｇに嵌合するときは図４２に示すように、折り返し片１０ｋは開口３２の他端に係止しており、センサブロック７に補助部材１０をより確実に固定することができる。なお、実施形態８と同様の構成には同一の符号を付して説明は省略する。
【００５４】
（実施形態１０）
本実施形態の照明器具は図４３〜図４６に示すように、実施形態６のセンサブロック７前面の凹部２８ａの略中央に矩形の突起３３を設け、補助部材１０の中央板１０ｃの略中央には矩形の開口１０ｍを設けている。そして、補助部材１０をセンサブロック７に固定する際には、まず突起３３を開口１０ｍに挿通させて、各側壁１０ｄをその弾性によってセンサブロック７の各側面に対向させ、センサブロック７の両側面に設けた凸部２５に補助部材１０の孔１０ｇまたは孔１０ｈを嵌合させる。そして、センサブロック７の凸部２５が補助部材１０の他端側の孔１０ｈに嵌合するときは図４５に示すように、突起３３は開口１０ｍの他端に係止し、センサブロック７の凸部２５が補助部材１０の一端側の孔１０ｇに嵌合するときは図４６に示すように、突起３３は開口１０ｍの一端に係止しており、センサブロック７に補助部材１０を固定した際の両端方向（上下方向）の耐荷重を実施形態６よりもさらに強化したものである。なお、実施形態６と同様の構成には同一の符号を付して説明は省略する。
【００５５】
（実施形態１１）
本実施形態の照明器具は実施形態１と同様の構成を備え、センサブロック７の構成のみが異なるので、同様の構成には同一の符号を付して説明は省略する。
【００５６】
本実施形態のセンサブロック７は図４７〜図５０に示すように、両端を開口した函体に形成され、センサブロック７の前面には断面略Ｓ字の板状の補助部材１０が取り付けられる。
【００５７】
センサブロック７の前面は、他端に矩形の切り欠き部２０を設けて、切り欠き部２０の両側を固定片２１とし、さらに両側面の他端には器具本体１の側壁１ｂを挿入する切り欠き部２２を各々設けている。またセンサブロック７前面の切り欠き部２０の後面側にはコの字のブリッジ形状の補助部材固定部３５を設けて、補助部材固定部３５には前面側に折り返した折返し部３４が形成されている。
【００５８】
補助部材１０は、一端側略中央には矩形の孔１０ｎが形成され、補助部材固定部３５のコの字内とセンサブロック７前面との間に他端側から補助部材１０の一端を差し込み、折返し部３４と孔１０ｎとが嵌合することで、補助部材１０はセンサブロック７に固定される。
【００５９】
補助部材１０の他端側は板ばねから成る可動片１０ａで構成され、可動片１０ａは固定片２１，２１の間の切り欠き部２０内を前後方向に可動する。
【００６０】
そして、切り欠き部２２に器具本体１の側壁１ｂを挿入し、可動片１０ａのばね力と切り欠き部２２とで側壁１ｂを挟持することで、器具本体１の側壁１ｂにセンサブロック７が取り付けられる。また、側壁１ｂが凹凸形状を成すと共に、可動片１０ａの他端が前面側に湾曲しているので、可動片１０ａの湾曲部１０ｂが側壁１ｂの凸部１００ｂに係止して互いの位置を固定している。
【００６１】
（実施形態１２）
本実施形態の照明器具は実施形態１と同様の構成を備え、センサブロック７の構成のみが異なるので、同様の構成には同一の符号を付して説明は省略する。
【００６２】
本実施形態のセンサブロック７は図５１（ａ），（ｂ），図５２に示すように、両端を開口した函体に形成されたセンサブロック７のみで構成される。
【００６３】
センサブロック７の両側面の他端には器具本体１の側壁１ｂを挿入する互いに形状の異なる２種類の切り欠き部４０，４１を各々設けており、各切り欠き部４０，４１は互いに異なる突起を有している。
【００６４】
ここで、富士形照明器具の側壁は図１０（ａ）、下面開放型照明器具の側壁は図１０（ｂ）、笠付形照明器具の側壁は図１０（ｃ）に各々示されるように、照明器具はその種類によって器具本体の側壁の形状は異なる。
【００６５】
そこで本実施形態では、下面開放型照明器具の側壁１ｂ及び笠付形照明器具の側壁１ｃは切り欠き部４０に挿入し、切り欠き部４０の凹凸で挟持することで、側壁１ｂまたは側壁１ｃにセンサブロック７が取り付けられる。また、富士形照明器具の側壁１ａは切り欠き部４１に挿入し、切り欠き部４１の凹凸で挟持することで、側壁１ａにセンサブロック７が取り付けられる。
【００６６】
【発明の効果】
請求項１の発明は、ランプと、ランプを装着すると共にランプの点灯制御部を収納した器具本体と、ランプの点灯制御用のセンサを具備するセンサブロックとを備え、前記センサブロックはセンサの検知方向に対して平行な前記器具本体の面に取着する取付部を具備するので、センサの検知方向に対して平行な器具本体の面があればセンサブロックを器具本体に取り付けることができ、各照明器具専用の取付金具が不必要となって、器具の種類に関わらずセンサブロックの取付構造が一様であり、部品点数の削減を図ることができるという効果がある。
【００６７】
請求項２の発明は、請求項１において、前記センサブロックはその一端方向が検知方向であり、他端側を開放した切り欠き部を前面から両側面に亘って設け、前面側には一端側を支点として前記切り欠き部内を前後面方向に可動する板ばねから成る可動片を設けた補助部材が取り付けられて、前記取付部は前記切り欠き部と前記可動片との間に前記検知方向に対して平行な器具本体の面を挟持して成るので、取付部の構造を単純にでき、器具本体へのセンサブロックの取り付けを容易に行うことができるという効果がある。
【００６８】
請求項３の発明は、請求項１において、前記センサブロックはその一端方向が検知方向であり、前面の他端には両側に前面の一部を残した第１の切り欠き部を設け、両側面の各他端には前記検知方向に対して平行な器具本体の面を挿入する第２の切り欠き部を各々設けて、前面側には一端側を支点として前記第１の切り欠き部内を前後面方向に可動する板ばねから成る可動片を設けた補助部材が取り付けられて、前記取付部は前記第２の切り欠き部と前記可動片とで前記検知方向に対して平行な器具本体の面を挟持して成るので、取付部の構造を単純にでき、器具本体へのセンサブロックの取り付けを容易に行うことができるとともに、センサブロックの器具本体への取り付け時に、センサブロックが補助部材の取付側に回転することを防止することができるという効果がある。
【００６９】
請求項４の発明は、請求項３において、前記補助部材は、前記センサブロックの両側面の各一端側に各々対向して弾性を有する側壁を前記センサブロックの前面に対向する中央板の両側に設けたコの字形状の固定部と、前記中央板の他端から突出した前記可動片とから成り、前記センサブロックの両側面と前記固定部の側壁とのうちいずれか一方に設けた第１の凹部と他方に設けた第１の凸部とを前記側壁の弾性を利用して嵌合させることで、前記補助部材を前記センサブロックに固定するので、センサブロックが補助部材の取付側に回転することを確実に防止することができるという効果がある。
【００７０】
請求項５の発明は、請求項４において、前記センサブロックの前面と前記補助部材の中央板とのうちいずれか一方に設けた第２の凹部と他方に設けた第２の凸部とを嵌合させるので、センサブロックと補助部材との間に働く嵌合力を高めることができるという効果がある。
【００７１】
請求項６の発明は、請求項４または５において、前記補助部材の固定部に対向する前記センサブロックの前面及び両側面には、前記固定部の外面が前記センサブロックの外面より外に出ないように第３の凹部が形成されるので、補助部材
がセンサブロックの外面より外に出ることがなく、外面上の凹凸を低減させて、意匠性を高めることができ、さらに補助部材の上下方向の荷重に対して強くなるという効果がある。
【００７２】
請求項７の発明は、請求項６において、前記補助部材の固定部の両端方向の長さは前記第３の凹部の両端方向の長さより短く、前記センサブロックの両側面に各々１つずつ設けた第１の凸部と、前記固定部の各側壁に両端方向に並設した複数の第１の凹部のうち１つの凹部とを各々嵌合させるので、補助部材の位置を調整することができ、様々な照明器具に対してセンサブロックを取り付け可能となるという効果がある。
【００７３】
請求項８の発明は、請求項７において、前記補助部材の固定部の各側壁の後端に１つ以上の第１の突起を各々設け、前記センサブロックの両側面の第３の凹部の後端に、前記固定部の各側壁に設けた第１の凹部と同数の第３の切り欠き部を各々設けて、各側壁の第１の突起のうち少なくとも１つの突起は第３の切り欠き部に各々嵌合するので、補助部材の上下方向の荷重に対してさらに強くなるという効果がある。
【００７４】
請求項９の発明は、請求項７または８において、前記補助部材の可動片の両側端に第２の突起を各々設け、前記センサブロックの第１の切り欠き部の両側に１つ以上の第４の切り欠き部を各々設けて、前記第２の突起は第４の切り欠き部に嵌合するので、センサ部を器具本体に確実に取り付けることができるという効果がある。
【００７５】
請求項１０の発明は、請求項４乃至９いずれかにおいて、前記補助部材の固定部の中央板の一端に係止片を設け、前記センサブロックは前記係止片に係止する孔を前面に備えるので、補助部材をセンサブロックにより確実に取り付けることができるという効果がある。
【００７６】
請求項１１の発明は、請求項４乃至９いずれかにおいて、前記補助部材の固定部の中央板に孔を設け、前記センサブロックは前記孔に係止する第３の突起を前面に備えるので、補助部材の上下方向の荷重に対してさらに強くなるという効果がある。
【００７７】
請求項１２の発明は、請求項３において、前記センサブロックの前面に内側から対向する内壁面を備え、前記内壁面の前面側に前記補助部材の固定手段を備えるので、センサブロックの表面上に補助部材を出さないことで意匠性を高めることができるという効果がある。
【００７８】
請求項１３の発明は、請求項１において、前記センサブロックはその一端側が検知方向であり、両側面の各他端には凹凸を有した複数の切り欠き部を各々設けて、前記取付部は、前記検知方向に対して平行な前記器具本体の面を前記センサブロックの両側面のいずれかの切り欠き部に各々挿入し、前記切り欠き部の凹凸によって挟持して成るので、請求項１乃至１２のように補助部材を必要とせずに、センサブロックを器具本体に取り付けることができるという効果がある。
【図面の簡単な説明】
【図１】本発明の実施形態１の照明器具を示す分解斜視図である。
【図２】同上の照明器具を示す全体斜視図である。
【図３】同上のセンサ部分を示す斜視図である。
【図４】同上のセンサブロックと補助部材との組立状態を示す図である。
【図５】同上のセンサブロックと補助部材との組立手順を示す図である。
【図６】同上のセンサブロックを示す斜視図である。
【図７】同上の補助部材を示す斜視図である。
【図８】同上のセンサブロックの器具本体への取付を示す斜視図である。
【図９】同上のセンサブロックの器具本体への取付を示す側面図である。
【図１０】（ａ）富士形照明器具の側壁を示す側面図である。
（ｂ）下面開放型照明器具の側壁を示す側面図である。
（ｃ）笠付形照明器具の側壁を示す側面図である。
【図１１】本発明の実施形態２のセンサブロックと補助部材との組立状態を示す図である。
【図１２】同上のセンサブロックを示す斜視図である。
【図１３】同上のセンサブロックの器具本体への取付を示す斜視図である。
【図１４】本発明の実施形態３のセンサブロックと補助部材との組立状態を示す図である。
【図１５】同上のセンサブロックと補助部材との組立手順を示す図である。
【図１６】同上のセンサブロックを示す斜視図である。
【図１７】同上の補助部材を示す斜視図である。
【図１８】同上のセンサブロックの器具本体への取付を示す斜視図である。
【図１９】本発明の実施形態４のセンサブロックと補助部材との組立状態を示す図である。
【図２０】同上のセンサブロックと補助部材との組立手順を示す図である。
【図２１】同上のセンサブロックを示す斜視図である。
【図２２】同上の補助部材を示す斜視図である。
【図２３】同上のセンサブロックの孔に補助部材の折返し片を差し込んだ状態を示す側面断面図である。
【図２４】本発明の実施形態５のセンサブロックと補助部材との組立状態を示す図である。
【図２５】同上のセンサブロックを示す斜視図である。
【図２６】本発明の実施形態６のセンサブロックを示す斜視図である。
【図２７】同上の補助部材を示す斜視図である。
【図２８】同上のセンサブロックと補助部材との第１の組立状態を示す図である。
【図２９】同上のセンサブロックと補助部材との第２の組立状態を示す図である。
【図３０】本発明の実施形態７のセンサブロックを示す斜視図である。
【図３１】同上の補助部材を示す斜視図である。
【図３２】同上のセンサブロックと補助部材との第１の組立状態を示す図である。
【図３３】同上のセンサブロックと補助部材との第２の組立状態を示す図である。
【図３４】本発明の実施形態８のセンサブロックを示す斜視図である。
【図３５】同上の補助部材を示す斜視図である。
【図３６】同上のセンサブロックと補助部材との第１の組立状態を示す図である。
【図３７】同上のセンサブロックと補助部材との第２の組立状態を示す図である。
【図３８】本発明の実施形態９のセンサブロックと補助部材との組立手順を示す図である。
【図３９】同上のセンサブロックと補助部材との第１の組立状態を示す図である。
【図４０】同上のセンサブロックと補助部材との第２の組立状態を示す図である。
【図４１】同上のセンサブロックの開口に補助部材の折返し片を差し込んだ第１の状態を示す側面断面図である。
【図４２】同上のセンサブロックの開口に補助部材の折返し片を差し込んだ第１の状態を示す側面断面図である。
【図４３】本発明の実施形態１０の補助部材を示す斜視図である。
【図４４】同上のセンサブロックを示す斜視図である。
【図４５】同上のセンサブロックと補助部材との第１の組立状態を示す図である。
【図４６】同上のセンサブロックと補助部材との第２の組立状態を示す図である。
【図４７】本発明の実施形態１１のセンサブロックと補助部材とを示す斜視図である。
【図４８】同上のセンサブロックと補助部材との組立手順を示す一部拡大図である。
【図４９】同上のセンサブロックと補助部材との組立手順を示す図である。
【図５０】同上のセンサブロックの器具本体への取付を示す斜視図である。
【図５１】（ａ）本発明の実施形態１２の一方の側面からみたセンサブロックを示す斜視図である。
（ｂ）同上の他方の側面からみたセンサブロックを示す斜視図である。
【図５２】同上のセンサブロックの器具本体への取付を示す斜視図である。
【図５３】従来の分離型センサブロックを用いた富士型照明器具の概略を示す図である。
【図５４】同上のセンサ部分を示す破断図である。
【図５５】同上の笠付直付一灯の照明器具を示す断面簡略図である。
【図５６】同上の一体型センサブロックを用いた富士型照明器具の概略を示す図である。
【図５７】同上の薄型直付下面開放二灯の照明器具を示す断面簡略図である。
【図５８】同上の富士型直付二灯の照明器具を示す断面簡略図である。
【符号の説明】
１    器具本体
１ａ  側壁
３    点灯制御部
４ａ  反射板
５    ランプ
６    人感センサ
６ａ  センサレンズ
７    センサブロック
８    開口
【図１】
2004259562.tif 000003
【図２】
2004259562.tif 000004
【図３】
2004259562.tif 000005
【図４】
2004259562.tif 000006
【図５】
2004259562.tif 000007
【図６】
2004259562.tif 000008
【図７】
2004259562.tif 000009
【図８】
2004259562.tif 000010
【図９】
2004259562.tif 000011
【図１０】
2004259562.tif 000012
【図１１】
2004259562.tif 000013
【図１２】
2004259562.tif 000014
【図１３】
2004259562.tif 000015
【図１４】
2004259562.tif 000016
【図１５】
2004259562.tif 000017
【図１６】
2004259562.tif 000018
【図１７】
2004259562.tif 000019
【図１８】
2004259562.tif 000020
【図１９】
2004259562.tif 000021
【図２０】
2004259562.tif 000022
【図２１】
2004259562.tif 000023
【図２２】
2004259562.tif 000024
【図２３】
2004259562.tif 000025
【図２４】
2004259562.tif 000026
【図２５】
2004259562.tif 000027
【図２６】
2004259562.tif 000028
【図２７】
2004259562.tif 000029
【図２８】
2004259562.tif 000030
【図２９】
2004259562.tif 000031
【図３０】
2004259562.tif 000032
【図３１】
2004259562.tif 000033
【図３２】
2004259562.tif 000034
【図３３】
2004259562.tif 000035
【図３４】
2004259562.tif 000036
【図３５】
2004259562.tif 000037
【図３６】
2004259562.tif 000038
【図３７】
2004259562.tif 000039
【図３８】
2004259562.tif 000040
【図３９】
2004259562.tif 000041
【図４０】
2004259562.tif 000042
【図４１】
2004259562.tif 000043
【図４２】
2004259562.tif 000044
【図４３】
2004259562.tif 000045
【図４４】
2004259562.tif 000046
【図４５】
2004259562.tif 000047
【図４６】
2004259562.tif 000048
【図４７】
2004259562.tif 000049
【図４８】
2004259562.tif 000050
【図４９】
2004259562.tif 000051
【図５０】
2004259562.tif 000052
【図５１】
2004259562.tif 000053
【図５２】
2004259562.tif 000054
【図５３】
2004259562.tif 000055
【図５４】
2004259562.tif 000056
【図５５】
2004259562.tif 000057
【図５６】
2004259562.tif 000058
【図５７】
2004259562.tif 000059
【図５８】
2004259562.tif 000060